(57)【要約】  【課題】  大容量の記録媒体に様々な動画像を記録させる場合にも、所望の動画像をひとつひとつ視認により探し出す必要も、動画像をひとつひとつ選択操作する必要もなく、互いに関連する動画像を容易に連続再生させて楽しめるようにすること。  【解決手段】  記録メディア２０（記録媒体）に記録された各動画ファイルから動画像に関する付属情報を抽出し、抽出した付属情報に基づいて互いに関連する複数の動画ファイルをグルーピング処理部３４によって同一のグループにグルーピングし、同一のグループに属する複数の動画ファイル内の動画像を連続して再生する。尚、動画ファイル内の付属情報としては、撮影位置情報、撮影日時情報、ホワイトバランス情報、露出情報、撮影場面種別、人物が写されているか否かを示す情報、利用者が設定したグループ識別情報等がある。【選択図】  図１
2005080056.tif 000002
【特許請求の範囲】
【請求項１】
所定の記録媒体に記録された動画ファイル内の動画像を再生する動画再生装置において、
各動画ファイルから動画像に関する付属情報を抽出する付属情報抽出手段と、
前記付属情報に基づいて互いに関連する複数の動画ファイルを同一のグループにグルーピングするグルーピング手段と、
同一のグループに属する複数の動画ファイル内の動画像を連続して再生する連続再生手段と、
を備えたことを特徴とする動画再生装置。
【請求項２】
前記付属情報は、撮影位置情報、撮影日時情報、ホワイトバランス情報、露出情報、撮影場面種別、人物が写されているか否かを示す情報、又は利用者が設定したグループ識別情報を含むことを特徴とする請求項１に記載の動画再生装置。
【請求項３】
各動画像内の肌色を検出する肌色検出手段を備え、前記グルーピング手段は、前記肌色検出手段が検出した肌色の割合により前記動画ファイルをグルーピングすることを特徴とする請求項１に記載の動画再生装置。
【請求項４】
グループ毎に動画像の連続再生時間を表示することを特徴とする請求項１、２又は３に記載の動画再生装置。
【請求項５】
連続再生中のグループについて再生済み時間又は未再生時間が連続再生時間に占める割合を表示することを特徴とする請求項４に記載の動画再生装置。
【請求項６】
請求項１乃至５の何れかに記載の動画再生装置と、前記動画像を撮影する動画像撮影手段と、前記付属情報を収集する付属情報収集手段と、前記動画像と前記付属情報とを互いに関連付けて前記動画ファイルとして前記記録媒体に書き込む動画ファイル書込手段とを備えたことを特徴とする電子カメラ。
【発明の詳細な説明】
【技術分野】
【０００１】
本発明は動画再生装置及び電子カメラに係り、特に、記録媒体から動画ファイル内の動画像を読み出して再生する動画再生装置及び電子カメラに関する。
【背景技術】
【０００２】
従来、記録媒体に記録された複数の動画像の中から希望する動画像を利用者に指定させて、記録時とは異なる順序で再生するものが提供されていた（例えば特許文献１を参照）。また、記録媒体に記録された複数の動画ファイルに各々対応するサムネイル画像を画面上に一覧表示し、サムネイル画像を利用者に選択させて、サムネイル画像の選択順序に応じて動画像を順次再生するようにしたものも提案されている（特許文献２を参照）。
【特許文献１】特開２００２−３４４９０５号公報
【特許文献２】特開平１０−１０８１２２号公報
【発明の開示】
【発明が解決しようとする課題】
【０００３】
近年、記録媒体の大容量化が進んだことにより、様々な動画像を記録媒体に蓄積させるとともに、再生したい動画像を任意に選択して楽しむことができるようになった。その反面、利用者は、様々な動画像の中から希望の動画像を探し出して選択操作するのに一苦労する。
【０００４】
前述したサムネイル画像で動画像を選択する従来の動画再生装置であっても、希望の動画像をサムネイル画像でひとつひとつ視認するとともに、ひとつひとつ選択操作しなければならないことに変わりはなく、実際に連続再生が始まって動画像を楽しむまでに手間と時間がかかってしまう。
【０００５】
本発明はこのような事情に鑑みてなされたもので、所望の動画像をひとつひとつ視認により探し出す必要も、動画像をひとつひとつ選択操作する必要もなく、互いに関連する複数の動画像を容易に連続再生させて楽しむことができる動画再生装置及び電子カメラを提供することを目的とする。
【課題を解決するための手段】
【０００６】
前記目的を達成するために、請求項１に記載の動画再生装置は、所定の記録媒体に記録された動画ファイル内の動画像を読み出して再生する動画再生装置において、各動画ファイルから動画像に関する付属情報を取得する付属情報取得手段と、前記付属情報に基づいて互いに関連する複数の動画ファイルを同一のグループにグルーピングするグルーピング手段と、同一のグループに属する複数の動画ファイル内の動画像を連続して再生する連続再生手段とを備えたことを特徴としている。
【０００７】
本発明によれば、様々な動画ファイルが動画ファイル内の付属情報に基づいてグルーピングされるとともに、同一のグループに属する複数の動画ファイル内の動画像が連続して再生されるので、所望の動画像をひとつひとつ視認により探し出す必要も動画像をひとつひとつ選択操作する必要もなく、互いに関連する一群の動画像が容易に連続再生されることになる。
【０００８】
前記付属情報には、請求項２に示されるように、撮影位置情報、撮影日時情報、ホワイトバランス情報、露出情報、撮影場面種別、人物が写されているか否かを示す情報、又は利用者が設定したグループ識別情報が含まれる。
【０００９】
また、請求項３に記載の動画再生装置は、請求項１に記載の発明において、各動画像内の肌色を検出する肌色検出手段を備え、前記グルーピング手段は、前記肌色検出手段が検出した肌色の割合により前記動画ファイルをグルーピングする構成となっている。
【００１０】
この構成によって、人物が写された動画像が確実に抽出され、人物が写された動画像のみが連続再生される。
【００１１】
また、請求項４に記載の動画再生装置は、請求項１、２又は３に記載の発明において、グループ毎に動画像の連続再生時間を表示する構成となっている。
【００１２】
この構成によって、利用者はグループ毎の連続再生時間を容易に把握できることになる。
【００１３】
また、請求項５に記載の動画再生装置は、請求項４に記載の発明において、連続再生中のグループについて再生済み時間又は未再生時間が連続再生時間に占める割合を表示する構成となっている。
【００１４】
この構成によって、利用者は連続再生の進捗状況を容易に把握できることになる。
【００１５】
また、請求項６に記載の電子カメラは、請求項１乃至５の何れかに記載の動画再生装置と、前記動画像を撮影する動画像撮影手段と、前記付属情報を収集する付属情報収集手段と、前記動画像と前記付属情報とを互いに関連付けて前記動画ファイルとして前記記録媒体に書き込む動画ファイル書込手段とを備えた構成となっている。
【発明の効果】
【００１６】
本発明によれば、大容量の記録媒体に様々な動画像を記録するような場合にも、所望の動画像をひとつひとつ視認により探し出す必要もなく、また、動画像をひとつひとつ選択する操作も必要がなく、互いに関連する動画像を容易に連続再生させて楽しむことができる。
【発明を実施するための最良の形態】
【００１７】
以下添付図面に従って本発明の動画再生装置及び電子カメラの好ましい実施の形態について詳説する。
【００１８】
図１は本発明を適用した電子カメラの内部構成を示すブロック図である。
【００１９】
図１において、モード設定スイッチＳＷ１は、動画像を撮影するための撮影モード、及び動画像を再生するための再生モードを利用者に設定させるスイッチである。
【００２０】
モードダイヤルＳＷ２は、動画撮影に関する詳細な設定が可能である。例えば、夜景を撮影するための夜景撮影モード、屋内で被写体を撮影するための屋内撮影モード、運動する被写体を撮影するためのスポーツ撮影モード、その他の撮影する場面の種別（以下「撮影場面種別」と称する）を利用者に設定させる。
【００２１】
画面操作ボタンＳＷ３は、選択操作するための十字ボタンと、決定ボタンとを有する。例えば、動画像の重要度を示すランクを選択するためのランク選択画面が後述の画像表示装置２４で表示されているときには、このランク選択画面上に表示されたランク（例えばＡ／Ｂ／Ｃ）から何れかのランクを十字ボタンにより選択操作して決定ボタンを押すことにより、動画像毎のランクが設定される。
【００２２】
シャッタボタンＳＷ４は、一度押すことにより動画像の録画を開始させ、再度押すことにより動画像の録画を終了させるボタンである。
【００２３】
ＧＰＳ（Global Positioning System）２２は、衛星及び地上の制御局を利用して、現在位置を測定するものである。動画像の撮影時にＧＰＳ２２から現在位置を取得することにより、撮影位置情報が取得される。
【００２４】
記録メディア２０は、動画像とその付属情報とを含む動画ファイルを記録する。図２に動画ファイル２００の概略構成の例を示す。図２に示されるように動画ファイル２００は、先頭にスタートコード２１１があり、タグ情報２１２とサムネイル画像２１３とが動画像２２０に付属している。
【００２５】
ここで、タグ情報２１２は、動画像２２０に関する一群の付属情報であって、撮影位置情報、撮影日時情報、ホワイトバランス情報、露出情報、撮影場面種別、人物が写されているか否かを示す情報、及び、画面操作ボタンＳＷ３で利用者が設定したグループ識別情報（例えば前述のランク）が含まれる。
【００２６】
また、サムネイル画像２１３は、画素の間引きなどによって小型化、簡素化した画像である。例えば、動画像２２０の中の代表画像を小型化、簡素化して生成される。
【００２７】
中央処理装置（ＣＰＵ）３０は、モード設定スイッチＳＷ１、モードダイヤルＳＷ２、画面操作ボタンＳＷ３、シャッタボタンＳＷ４等からの入力に基づいて電子カメラ内の各回路を統括制御する。
【００２８】
まず、モード設定スイッチＳＷ１で撮影モードが設定されているときの制御について説明する。
【００２９】
シャッタボタンＳＷ４が一度押されると、ＣＰＵ３０は、動画像の録画処理（撮影及び記録）を開始する。具体的には、アイリス１４及び撮影レンズ１２を介して固体撮像装置（ＣＣＤ）４２の受光面に結像された被写体像は、その光量に応じた量の信号電荷に変換される。そして蓄積された信号電荷は、その信号電荷に応じた電圧信号として、タイミングジェネレータ４３が生成したタイミング信号に従って読み出される。ＣＣＤ４２から読み出された電圧信号は、相関二重サンプリング回路（ＣＤＳＡＭＰ）４４に加えられ、ここで画素毎のＲ、Ｇ、Ｂ信号がサンプリングホールドされるとともに増幅され、Ａ／Ｄ変換器４６に加えられる。Ａ／Ｄ変換器４６は、ＣＤＳＡＭＰ４４から順次加えられるＲ、Ｇ、Ｂ信号を、デジタルのＲ、Ｇ、Ｂ信号に変換して、画像入力コントローラ４８を介してメモリ５０に出力する。メモリ５０に一旦格納されたＲ、Ｂ、Ｇ信号は、画像信号処理回路５２によって、同時化処理、ホワイトバランス調整、ガンマ補正、ＹＣ信号処理等の所定の画像処理が施される。この画像信号処理回路５２のＹＣ信号処理によって作成された輝度信号Ｙと色差信号Ｃｒ、Ｃｂ（ＹＣ信号）は、圧縮伸長処理回路６２によって所定のフォーマットに圧縮されたのち、メディアコントローラ６４を介して、動画像として、記録メディア２０に記録される。また、動画像の撮影に際して、ＣＰＵ３０は、オートフォーカス（ＡＦ）やズームのために撮影レンズ１２用のモータドライバ１３を介して撮影レンズ１２を駆動する。また、自動露出（ＡＥ）のためにアイリス１４用のモータドライバ１５を介してアイリス１４を駆動する。
【００３０】
また、ＣＰＵ３０は、動画像の撮影中に動画像に関する各種情報を収集し、シャッタボタンＳＷ４が再度押されたとき、収集した各種情報をタグ情報として、メディアコントローラ６４を介して記録メディア２０に記録し、動画像の録画処理を終了する。また、動画像の代表画像からサムネイル画像を生成して、メディアコントローラ６４を介して記録メディア２０に記録する。最終的には、図２に示すように、スタートコード２１１、タグ情報２１２、サムネイル画像２１３及び動画像２２０からなる動画ファイル２００が記録メディア２０に記録される。
【００３１】
ここで、ＣＰＵ３０による各種のタグ情報２１２の収集及び記録メディア２０への記録について詳細に説明する。
【００３２】
第１に、ＧＰＳ２２から撮影位置情報を取得して書き込む。具体的には、動画像撮影時の緯度と経度が書き込まれる。尚、動画撮影中に電子カメラの位置が移動することもあるが、動画撮影開始時あるいは動画撮影終了時の現在位置のみを代表として書き込むようにしてもよい。
【００３３】
第２に、ＣＰＵ３０で計時した日時（年月日時分秒）を撮影日時情報として書き込む。尚、動画撮影開始時あるいは動画撮影終了時の日時のみを代表として書き込むようにしてもよい。
【００３４】
第３に、オートフォーカス（ＡＦ）検出回路５４やＣＰＵ３０で得られたフォーカス情報、自動露出及びオートホワイトバランス（ＡＥ＆ＡＷＢ）検出回路３２やＣＰＵ３０で得られた露出情報及びホワイトバランス情報が書き込まれる。ここで、露出情報は、動画撮影時の明るさに対応した情報を含む。例えば、絞り値を書き込む。また、ホワイトバランス情報は、動画撮影時の色バランスに対応した情報を含む。例えば、昼光、蛍光灯、白熱電球、晴天、曇りといった光源に関する情報を書き込む。尚、動画撮影中で情報の内容が変わる（例えば絞り値や光源が動画撮影中に変わる）場合もあるので、撮影開始から撮影終了までの時間の占有率が最も高いものを代表として書き込むようにしてもよい。また、特定の代表画像（例えば先頭画像）に関するものを代表として書き込むようにしてもよい。
【００３５】
第４に、動画撮影の際にモードダイヤルＳＷ２により利用者が設定した撮影場面種別が書き込まれる。例えば、夜景、屋内、スポーツといった撮影場面種別が書き込まれる。
【００３６】
第５に、人物が写されているか否かを示す情報が書き込まれる。本実施の形態では、肌色検出部３２によって各動画像２２０内の肌色を検出して、検出された肌色の割合を算出し、算出された割合が予め決められた閾値より大きければ人物が写されていると判定する。ここで、肌色の割合の算出方法としては、動画像の録画中、所定時間毎に全画素中の肌色画素の割合を算出し、平均する方法がある。動画像の録画終了後に、動画像２２０から抽出した複数枚の画像毎に全画素中の肌色画素の割合を算出し、平均する方法もある。また、動画像２２０の中の代表画像（例えば先頭画像）又はサムネイル画像２１３について全画素中の肌色画素の割合を算出する方法もある。尚、算出した肌色の割合そのものを書き込む方法と、人物が撮影されているか否かの判定結果を書き込む方法とがある。人物の顔が写されているか否かという情報であってもよい。
【００３７】
第６に、利用者によって設定されたグループ識別情報が書き込まれる。本実施の形態では、動画像の撮影中に画面操作ボタンＳＷ３により利用者にグループ識別情報を設定操作させる。例えば、動画像の重要度を示すランクを利用者に設定させる。
【００３８】
次に、モード設定スイッチＳＷ１で再生モードが設定されているときの制御について説明する。
【００３９】
まず、記録メディア２０に記録された複数の動画ファイル２００をグルーピングする。具体的には、ＣＰＵ３０は、メディアコントローラ６４を介して各動画ファイル２００からタグ情報２１２（すなわち動画像２２０に関する付属情報）をそれぞれ抽出するとともに、グルーピング処理部３４によりタグ情報２１２に基づいて互いに関連する複数の動画ファイル２００を同一のグループにグルーピングする。そして、同一のグループに属する動画ファイル２００のファイル名のリスト（グループ情報）を生成して、メディアコントローラ６４を介して記録メディア２０に記録させる。ＣＰＵ３０内のＲＡＭ（図示を省略）に一時記憶してもよい。通常、撮影日時情報に従って撮影順序でリストアップされる。
【００４０】
ここで、タグ情報２１２に基づく各種のグルーピングについて詳細に説明する。
【００４１】
第１に、撮影位置情報に基づいてグルーピングする。具体的には、動画像撮影時の緯度及び経度に基づいて、互いに近い、所定の距離の範囲内で撮影して得た動画ファイル２００を、同一グループにする。例えば、国内では半径２０ｋｍ以内、海外では半径１００ｋｍ以内で撮影して得た動画ファイル２００をひとつのグループにする。半径何ｋｍとするかは画面操作ボタンＳＷ３で変更可能にしてもよい。あるいは、緯度及び経度と地域の区分との対応を示す地図情報を電子カメラ内に有し、この地図情報に基づいて地域毎にグルーピングするようにしてもよい。例えば、国内では都道府県毎に、国外では国毎に、グルーピングする。予め入力された特定の位置と撮影位置との距離に基づいてグルーピングしてもよい。例えば、利用者の居住地点から半径２０ｋｍ未満、半径２０ｋｍ乃至１００ｋｍ、及びそれ以外、といったグルーピングをする。
【００４２】
第２に、撮影日時情報に基づいてグルーピングする。例えば、季節（春、夏、秋、冬）毎に、月毎に、又は時間帯（昼、夜）でグルーピングする。予め入力された特定の日時から撮影日時までの経過日時に基づいてグルーピングしてもよい。例えば、子供の出生日から何ヶ月あるいは何年という単位でグルーピングする。
【００４３】
第３に、ホワイトバランス情報や露出情報等の電子カメラ内で検出した撮影条件に基づいてグルーピングする。例えば、絞り値や光源（昼光、蛍光灯、白熱電球、晴天、曇り等）に基づいてグルーピングする。
【００４４】
第４に、動画撮影の際に利用者が設定した撮影場面種別に基づいてグルーピングする。例えば、モードダイヤルＳＷ２で利用者が設定した夜景、屋内、スポーツといった撮影場面毎にグルーピングする。
【００４５】
第５に、人物が写されているか否かを示す情報に基づいてグルーピングする。例えば、肌色の割合が予め決められた割合以上であるか否かを判定することにより、人物が写された動画像であるか否かを判定する。人物の顔が写された画像であるか否かでグルーピングしてもよい。
【００４６】
第６に、利用者が設定したグループ識別情報に基づいてグルーピングする。例えば、動画像の重要度を示すランクに基づいてグルーピングする。
【００４７】
尚、どのタグ情報２１２に基づいてグルーピングするかについては、画面操作ボタンＳＷ３で利用者により選択可能である。具体的には、再生モードにおいて、撮影位置情報、撮影日時情報、ホワイトバランス情報、露出情報、撮影場面種別、人物の有無、及びグループ識別情報といったタグ情報２１２を、動画ファイル２００毎に画像表示装置２４に表示するとともに、利用者に特定の動画ファイル２００とその動画ファイル２００に書き込まれた特定のタグ情報２１２とを選択させる。そして、利用者が選択した特定のタグ情報２１２に基づいて、利用者が選択した特定の動画ファイル２００を含むグループを生成する。例えば、利用者が特定の動画ファイルと撮影位置情報とを選択した場合には、その特定の動画ファイルにおける撮影位置を中心に、その半径２０ｋｍ以内で撮影して得られた複数の動画ファイルを、同一のグループにグルーピングする。また、例えば、利用者が特定の動画ファイルとホワイトバランス情報（例えば昼光）を選択した場合には、同一のホワイトバランス情報が生成された複数の動画ファイルを、同一のグループにグルーピングする。また、例えば、利用者が特定の動画ファイルと撮影場面種別（例えば夜景）を選択した場合には、同一の撮影場面種別（例えば夜景）を撮影して得られた複数の動画ファイルを、同一のグループにグルーピングする。
【００４８】
これらのグルーピングは、ひとつの種類のタグ情報２１２のみに基づいて行う必要はなく、複数種類のタグ情報２１２に基づいてグルーピングするようにしてよいことは言うまでもない。例えば、撮影位置情報と撮影日時情報とに基づいて、特定の地域で夏に撮影して得られた動画ファイル２００を一つのグループにする。また、撮影日時情報と露出情報とホワイトバランス情報とに基づいて、冬のスキー場で撮影して得られたと推定される動画ファイル２００を一つのグループにする。また、撮影日時情報と撮影場面種別とに基づいて、夏の夜景を撮影して得られた動画ファイル２００を一つのグループにする。
【００４９】
尚、各グループにどのような動画ファイル２００が属しているかを画像表示装置２４により利用者が確認可能になっている。図３は、特定のグループに属する複数の動画ファイルについて、各動画ファイル内のサムネイル画像３０１、３０２、３０３、３０４を画像表示装置２４の画面２４ａに一覧表示した例を示す。図４は、肌色の割合に基づいてグルーピングされた動画ファイルについて、サムネイル画像４０１乃至４０５とともに、各動画像の肌色の割合をバー４２１乃至４２５で表示した例を示す。尚、肌色の割合は、各動画像の再生時間長４１１乃至４１５との対応関係で示される。また、図４では画面２４ａの制約により同時に全ての動画ファイルについて表示することができないので、第２、第３及び第４の動画ファイルのサムネイル画像４０２、４０３、４０４が表示されているが、画面操作ボタンＳＷ３でスクロール操作することにより、第１の動画ファイルのサムネイル画像４０１（又は第５の動画ファイルのサムネイル画像４０５）が表示される。
【００５０】
複数種類のグルーピングを並行して行ってもよい。例えば、撮影位置情報のみに基づくグルーピングを行う一方で、撮影日時情報のみに基づくグルーピングを行い、グルーピングの結果表示により利用者がどちらのグルーピングで分けられたグループで連続再生するか画面操作ボタンＳＷ３で選択する。
【００５１】
そして、利用者が画面操作ボタンＳＷ３で連続再生を指示したとき、同一のグループに属する複数の動画ファイル内の動画像が連続して再生される。具体的には、記録メディア２０に記録されている動画ファイル２００内の動画像２２０がメディアコントローラ６４を介して読み出され、読み出された動画ファイル２００内の動画像２２０の圧縮データは、圧縮伸長処理回路６２を介して非圧縮のＹＣ信号に伸長される、伸長されたＹＣ信号は、画像メモリ（ＶＲＡＭ）６６及びビデオエンコーダ６８を介して、画像表示装置２４に出力される。ここで、ひとつの動画ファイル２００内の動画像２２０について再生が終了すると、同一のグループ内に属する次の動画ファイル２００内の動画像２２０について再生を開始する。このような連続再生は、グルーピング時に生成されたグループ情報を参照して行われる。通常、グループ内での再生順序は、撮影日時情報に従って撮影日時順になる。
【００５２】
また、各グループについて、連続再生時間、及び各動画像の再生時間の連続再生時間に対して占める割合が、ＣＰＵ３０の制御により画像表示装置２４に視覚的に表示されるようになっている。例えば、図５（ａ）に示すように、同一のグループに属する３つの動画ファイルについて各動画像の再生時間を示すバー５１１、５１２、５１３が表示されるとともに、このグループの再生時間の総和である連続再生時間５２０（ここでは「２５分」）が表示される。
【００５３】
動画像を連続再生する際には、動画像とともに、連続再生中のグループの連続再生時間、及び各動画像の連続再生時間に対して占める割合、及び再生済み時間（あるいは未再生時間）が連続再生時間に対して占める割合が、ＣＰＵ３０の制御により画像表示装置２４に視覚的に表示される。例えば、図５（ｂ）に示すように、同一のグループに属する３つの動画ファイルについて連続再生中、再生済み時間の連続再生時間に示す割合を示すバー５３０が表示され、第１及び第２の動画ファイルが再生済みであって、第３の動画ファイルが再生中であることが表示される。このようなバー５３０によって、利用者は連続再生の進行状況を的確に把握することができる。連続再生の進行状況の表示をするか否か利用者が選択することもできる。尚、図５（ｂ）では再生済み時間についてバーで示しているが、未再生時間（「残り時間」ともいう）についてバーで示すようにしてもよい。また、再生済み時間及び未再生時間を数値（何分何秒あるいは何％）で示すようにしてもよい。
【００５４】
以上説明した、撮影モードでの録画の手順と、再生モードでのグルーピング及び連続再生の手順とをまとめて図６にフローチャートで示す。
【００５５】
電源オン状態において、まず、モード設定スイッチＳＷ１で撮影モードが設定されているか否かの判定（Ｓ１）及び再生モードが設定されているか否かの判定（Ｓ１１）がされる。
【００５６】
撮影モードでは、シャッタボタンＳＷ４が一度押されることにより動画像の録画処理を開始する（Ｓ２）。具体的には、撮影レンズ１２、アイリス１４、ＣＣＤ４２等を用いた動画像の撮影と、メディアコントローラ６４等を用いた記録メディア２０への動画像の記録が開始される。図６では、動画像の撮影中に、グループ識別情報として動画像の重要度を示すランクを画面操作ボタンＳＷ３で利用者に選択させている。具体的には、ランク選択表示の有無が判定され（Ｓ３）、ランク選択表示有りの場合には、利用者にランクの選択を促す画面が画像表示装置２４に表示され、Ａランク、Ｂランク、Ｃランク及びランク設定無しの何れかを利用者に選択させる（Ｓ４）。シャッタボタンＳＷ４が再度押されたとき（Ｓ５）、撮影位置情報、撮影日時情報、ホワイトバランス情報、露出情報、撮影場面種別、人物が写されているか否かを示す情報、利用者が選択したランク、その他の動画像に関して収集された情報がタグ情報２１２として動画ファイル２００のヘッダ領域に記録されるとともに、サムネイル画像２１３が生成されて動画ファイル２００のヘッダ領域に記録され（Ｓ６）、動画像の録画処理を終了する（Ｓ７）。
【００５７】
再生モードでは、各動画ファイル２００のヘッダ領域からタグ情報２１２を読み出して動画ファイル２００のグルーピングを行い（Ｓ１２）、グルーピング結果を表示し（Ｓ１３）、画面操作ボタンＳＷ３で利用者にグループを選択させる（Ｓ１４）。ランクに基づく選択の場合には、ランクの一覧（Ａ／Ｂ／Ｃ）を表示し、利用者にランクを選択させる。そして、選択されたグループに属する複数の動画像ファイル２００から、動画像２２０を順次読み出して連続再生する（Ｓ１５）。例えば、Ａランクが選択された場合には、動画撮影中に利用者がＡランクを設定した一群の動画ファイル２００から動画像２２０が読み出されて、連続再生される。
【００５８】
尚、通常再生の場合には、再生開始操作がされると（Ｓ１６）、再生モードが終了するまで、単純に、録画された順序で、動画像が再生される（Ｓ１７）。
【００５９】
尚、付属情報として、撮影位置情報、撮影日時情報、ホワイトバランス情報、露出情報、撮影場面種別、人物が写されているか否かを示す情報、及びグループ識別情報を動画ファイル２００内のヘッダ領域に記録し、これらの動画像２２０に関する付属情報に基づいてグルーピングする例について説明したが、これらの例示した以外の付属情報を収集してグルーピングするようにしてもよい。
【００６０】
また、本実施の形態では、図１に示すように、動画像撮影手段を、撮影レンズ１２、アイリス１４、ＣＣＤ４２等で構成し、付属情報収集手段を、ＧＰＳ２２、ＡＥ＆ＡＷＢ検出回路５６、モードダイヤルＳＷ２、ＣＰＵ３０等で構成し、動画ファイル書込手段及び付属情報抽出手段を、ＣＰＵ３０、メディアコントローラ６４等で構成し、グルーピング手段を、グルーピング処理部３４で構成し、連続再生手段を、ＣＰＵ３０、ビデオエンコーダ６８で構成している。しかしながら、図１は本発明を限定するための図ではなく、本発明の趣旨に適合する範囲で図１と異なる構成としてよいことは言うまでもない。図１に示す肌色検出部３２及びグルーピング処理部３４は、ＣＰＵ３０で構成してもよい。
【００６１】
また、本発明の電子カメラはデジタルカメラに限定されるものではなく、例えば、携帯電話、ＰＨＳ（Personal Handyphone System）等の携帯端末や、パーソナルコンピュータにも利用可能である。また、電子カメラで動画像の録画と連続再生を行う場合について説明したが、本発明の動画再生装置は、録画機能がない再生専用の動画再生装置にも利用可能である。
【図面の簡単な説明】
【００６２】
【図１】本発明を適用した電子カメラの内部構成を示すブロック図
【図２】動画ファイルの概略構成図
【図３】特定のグループに属する動画ファイルを示す表示例
【図４】各動画像の肌色の割合を示す表示例
【図５】特定グループの連続再生時間及び再生済み時間の割合を示す表示例
【図６】動画像録画、グルーピング及び連続再生の手順の例を示すフローチャート
【符号の説明】
【００６３】
ＳＷ１…モード設定スイッチ、ＳＷ２…モードダイヤル、ＳＷ３…画面操作ボタン、ＳＷ４…シャッタボタン、１２…撮影レンズ、１４…アイリス、２０…記録メディア、２２…ＧＰＳ、２４…画像表示装置、３０…ＣＰＵ、３２…肌色検出部、３４…グルーピング処理部、４２…ＣＣＤ、５６…ＡＥ＆ＡＷＢ検出回路、６４…メディアコントローラ、６８…ビデオエンコーダ
【図１】
2005080056.tif 000003
【図２】
2005080056.tif 000004
【図３】
2005080056.tif 000005
【図４】
2005080056.tif 000006
【図５】
2005080056.tif 000007
【図６】
2005080056.tif 000008